(57)【要約】【課題】本発明は、車載用電子機器操作装置に関するもので、安全性を高めることを目的とするものである。【解決手段】制御部８は、表示部９の外周部の少なくとも一部に操作部１２、この表示部９の中央部にカメラ５からのカメラ映像１３を表示させる機能を有し、表示切替スイッチ１０の操作により、制御部８で、表示部９の外周部の少なくとも一部に操作部１２を表示させる場合には、この表示部９の中央部にカメラ映像１３を表示させる構成とするとともに、カメラ映像１３の表示初期は、このカメラ映像１３の輝度を低下させ、その後、このカメラ映像１３の輝度を上昇させる構成とした。また、距離センサ１１による前方障害物との距離が所定値より短くなると、操作部１２表示は非表示とする。【選択図】図４
2013205869.tif 000002
【特許請求の範囲】
【請求項１】
表示部と、この表示部に接続された制御部と、この制御部に接続されたカメラ、表示切替スイッチ、および距離センサとを備え、前記制御部は、前記表示部の外周部の少なくとも一部に操作部、この表示部の中央部に前記カメラからの映像を表示させる機能を有し、前記表示切替スイッチの操作により、この制御部で、前記表示部の外周部の少なくとも一部に操作部を表示させる場合には、この表示部の中央部に前記カメラからの映像を表示させる構成とするとともに、前記距離センサによる前方障害物との距離が所定値より短くなると、操作部表示は非表示とする構成とした車載用電子機器操作装置。
【請求項２】
制御部に警報部を接続し、距離センサによる前方障害物との距離が所定値より短くなると、前記警報部から警報を発する構成とした請求項１に記載の車載用電子機器操作装置。
【請求項３】
制御部は、カメラ映像の表示初期は、このカメラ映像の輝度を低下させ、その後、このカメラ映像の輝度を上昇させる構成とした請求項１または２に記載の車載用電子機器操作装置。
【請求項４】
制御部により表示部にナビゲーション映像を表示する構成とし、このナビゲーション映像から操作部映像への切り替え時には、表示部の中央部に表示するカメラ映像の輝度を低下させ、その後、カメラ映像の輝度を上昇させる構成とした請求項１から３のいずれか一つに記載の車載用電子機器操作装置。
【請求項５】
表示部の外周部への操作部表示は、輝度を略一定とした請求項１から４のいずれか一つに記載の車載用電子機器操作装置。
【発明の詳細な説明】
【技術分野】
【０００１】
本発明は、車両内において、オーディオ装置やラジオ受信機などの操作を行う車載用電子機器操作装置に関するものである。
【背景技術】
【０００２】
この種の車載用電子機器操作装置は、表示部と、この表示部に接続された制御部と、この制御部に接続されたカメラ、および表示切替スイッチとを備え、前記制御部は、前記表示部に操作部と、前記カメラからの映像を表示させる機能を有する構成となっていた（例えば下記特許文献１）。
【先行技術文献】
【特許文献】
【０００３】
【特許文献１】特開平１０−４７９７８号公報
【発明の概要】
【発明が解決しようとする課題】
【０００４】
上記従来例は、表示部に表示された操作部を操作するときに、その操作に気をとられて前方確認がおろそかになるのを防止すべく、この表示部にはカメラ映像を表示するようにしている。
【０００５】
つまり、表示部内の操作部を操作するときには、この表示部内のカメラ映像にて前方確認も行えるようにしているので、以前よりも安全性は向上している。
【０００６】
しかしながら、表示部に操作部を表示させると、カメラ映像が表示されているにもかかわらず、操作部だけに気をとられることもしばしば有り、この場合には、前方確認がおろそかになり、安全性の更なる向上が期待されている。
【０００７】
そこで、本発明は、安全性を高めることを目的とするものである。
【課題を解決するための手段】
【０００８】
そしてこの目的を達成するために本発明は、表示部と、この表示部に接続された制御部と、この制御部に接続されたカメラ、表示切替スイッチ、および距離センサとを備え、前記制御部は、前記表示部の外周部の少なくとも一部に操作部、この表示部の中央部に前記カメラからの映像を表示させる機能を有し、前記表示切替スイッチの操作により、この制御部で、前記表示部の外周部の少なくとも一部に操作部を表示させる場合には、この表示部の中央部に前記カメラからの映像を表示させる構成とするとともに、前記距離センサによる前方障害物との距離が所定値より短くなると、操作部表示は非表示とする構成と、これによって所期の目的を達成するものである。
【発明の効果】
【０００９】
以上のように本発明は、表示部と、この表示部に接続された制御部と、この制御部に接続されたカメラ、表示切替スイッチ、および距離センサとを備え、前記制御部は、前記表示部の外周部の少なくとも一部に操作部、この表示部の中央部に前記カメラからの映像を表示させる機能を有し、前記表示切替スイッチの操作により、この制御部で、前記表示部の外周部の少なくとも一部に操作部を表示させる場合には、この表示部の中央部に前記カメラからの映像を表示させる構成とするとともに、前記距離センサによる前方障害物との距離が所定値より短くなると、操作部表示は非表示とする構成としたものであるので、安
全性を高めることが出来る。
【００１０】
すなわち、本発明では、前記距離センサによる前方障害物との距離が所定値より短くなると、表示部への操作部表示は非表示とし、表示部にはカメラ映像だけを表示させる構成としたものであるので、操作部の操作に気をとられ、前方確認がおろそかとなることが無く、その結果として安全性を高めることが出来るのである。
【図面の簡単な説明】
【００１１】
【図１】本発明の一実施形態にかかる車載用電子機器操作装置を搭載した自動車を示す図
【図２】同車載用電子機器操作装置の制御ブロック図
【図３】同動作を示す図
【図４】同動作フローチャート
【発明を実施するための形態】
【００１２】
以下、本発明の一実施形態を、添付図面を用いて説明する。
【００１３】
（実施の形態１）
図１において、１は自動車で、車内２の前方には、ハンドル３が設けられ、そのハンドル３の側方には電子機器４が配置されている。
【００１４】
また、車内２の電子機器４前方には、車外前方に向けてカメラ５が配置されている。
【００１５】
前記電子機器４は図２に示すように、カーナビゲーション部６やオーディオ部７などを備えたもので、カーナビゲーション部６やオーディオ部７は制御部８に接続されている。
【００１６】
た、この制御部８には、表示部９と、前記カメラ５と、表示切替スイッチ１０と、距離センサ１１とが接続されている。
【００１７】
さらに、表示部９内には後述するように、カーナビゲーション部６やオーディオ部７のための操作部１２が表示されるようになっている。
【００１８】
なお、表示切替スイッチ１０は図１のごとくハンドル３に設けられている。
【００１９】
以上の構成において、自動車１の運転中には、表示部９には図３（ａ）に示すように、カーナビゲーション部６によるルート案内表示がされている。
【００２０】
ここで、運転者が例えばオーディオ部７の操作のために、ハンドル３の表示切替スイッチ１０を操作すると（図４のＳ１）、制御部８は、例えばカーナビゲーション部６からの情報、カメラ５からの映像、自動車からの情報により、運転中か否かの判定を行う（図４のＳ２）。
【００２１】
そして、（図４のＳ２）において運転中であると判断されると、制御部８はカメラ５からの前方映像を取得し（図４のＳ３）、続いて、図３（ｂ）のごとく、表示部９の両側（外周部の少なくとも一部）に操作部１２、この表示部９の中央部に前記カメラ５からの前方映像を、カメラ映像１３として表示させる（図４のＳ４）。
【００２２】
ただし、本実施形態においては、前記表示切替スイッチ１０の操作により、前記制御部８で、前記表示部９の外周部の少なくとも一部に操作部１２を表示させ、この表示部９の中央部に前記カメラ５からの映像を表示させる場合には、カメラ映像１３の表示初期は、このカメラ映像１３の輝度を低下させるようにしている。
【００２３】
そして、数秒後には、図３（ｃ）のごとく、カメラ映像１３の輝度を徐々に上昇させる（図４のＳ５）ので、運転者に眩しさを感じさせることが少なく、その結果として安全性を高めることが出来るのである。
【００２４】
また、図３（ｃ）の状態で操作部１２を操作するときには、輝度が戻ったカメラ映像１３が表示部９の中心部に表示されているので、前方の状況を確認しながら、安全に操作部１２を操作することができる。
【００２５】
また、前記距離センサ１１により、前方障害物（例えば前方車両）との距離が継続的に測定されている。
【００２６】
距離センサ１１は自動車１の前方において、例えば超音波で前方障害物（例えば前方車両）との距離を常時測定しているので、図３（ｃ）の表示がなされている時で、前方障害物（例えば前方車両）との距離が所定値より短くなると、（図４のＳ７の左側）に記載したように、表示部９への操作部１２表示は非表示とし、表示部９にはカメラ映像１３だけを表示させる（図４のＳ７）。
【００２７】
このため、操作部１２の操作に気をとられ、前方確認がおろそかとなることが無く、その結果として安全性を高めることが出来る。
【００２８】
また、制御部８には警報部１４を接続し、距離センサ１１による前方障害物との距離が所定値より短くなると、前記警報部１４から警報を発するようにしているので、前方障害物との接近を音声でも警告することが出来、安全性を向上することが出来るものである（図４のＳ８）。
【００２９】
なお、（図４のＳ２）において運転中ではないと判断されたときには、（図４のＳ９の右側）に示したように、表示部９には操作部１２だけを表示し、カメラ映像１３は表示しないようにしている（図４のＳ９）。
【００３０】
また、（図４のＳ９の右側）に示すように、この（図４のＳ９）では、（図４のＳ５）よりも操作部１２を大きく表示しているので、操作性が向上する。
【００３１】
また、表示部９外周部への操作部１２表示は、図３の（ｂ）（ｃ）とも輝度を略一定としているので、操作部１２表示としての安定感があり、操作性のよいものとなる。
【産業上の利用可能性】
【００３２】
以上のように本発明では、距離センサによる前方障害物との距離が所定値より短くなると、操作部表示は非表示とし、表示部にはカメラ映像だけを表示させる構成としたものであるので、操作部の操作に気をとられ、前方確認がおろそかとなることが無く、その結果として安全性を高めることが出来るのである。
【００３３】
したがって、各種車載用電子機器操作装置としての活用が期待されるものとなる。
【符号の説明】
【００３４】
１  自動車
２  車内
３  ハンドル
４  電子機器
５  カメラ
６  カーナビゲーション部
７  オーディオ部
８  制御部
９  表示部
１０  表示切替スイッチ
１１  距離センサ
１２  操作部
１３  カメラ映像
１４  警報部
【図１】
2013205869.tif 000003
【図２】
2013205869.tif 000004
【図３】
2013205869.tif 000005
【図４】
2013205869.tif 000006